(57)【特許請求の範囲】
【請求項１】
端末が測定参照信号を送信する方法であって、
基本シーケンスに別個の循環シフト値を適用して複数の測定参照信号シーケンスを生成する段階であって、前記別個の循環シフト値はそれぞれ複数のアンテナポートに対応する、段階と、
サブフレームの最後のシンボルで、前記複数の測定参照信号シーケンスを前記複数のアンテナポートを介して基地局に送信する段階とを有し、
前記別個の循環シフト値はそれぞれ、前記基地局から受信した上位階層パラメータに基づいて決定される、方法。
【請求項２】
前記別個の循環シフト値はそれぞれ、{０,１,２,３,４,５,６,７}のうち一つの値を有する前記上位階層パラメータに基づく、請求項１に記載の方法。
【請求項３】
前記別個の循環シフト値はそれぞれ等間隔である、請求項１に記載の方法。
【請求項４】
前記複数の測定参照信号シーケンスを周波数領域の副搬送波にマッピングする段階を更に有する請求項１に記載の方法。
【請求項５】
前記周波数領域における前記複数の測定参照信号シーケンスそれぞれの開始位置は互いに異なる、請求項４に記載の方法。
【請求項６】
前記複数の測定参照信号シーケンスを前記周波数領域の副搬送波にマッピングする段階に関する情報は、上位階層によって与えられる、請求項４に記載の方法。
【請求項７】
無線通信システムにおける基地局がアップリンクチャネル状態を測定する方法であって、
端末に上位階層パラメータを送信する段階と、
サブフレームの最後のシンボルで、前記端末の複数のアンテナポートから複数の測定参照信号シーケンスを受信する段階と、
前記複数の測定参照信号シーケンスを用いて前記アップリンクチャネル状態を測定する段階とを有し、
前記複数の測定参照信号シーケンスは、基本シーケンスに別個の循環シフト値を適用して生成され、
前記別個の循環シフト値はそれぞれ、前記端末の前記複数のアンテナポートに対応し、
前記別個の循環シフト値はそれぞれ、前記上位階層パラメータに基づいて決定される、方法。
【請求項８】
前記別個の循環シフト値はそれぞれ、{０,１,２,３,４,５,６,７}のうち一つの値を有する前記上位階層パラメータに基づく、請求項７に記載の方法。
【請求項９】
無線通信システムにおける端末であって、
無線信号を送信又は受信する送受信器と、
前記送受信器と接続されたプロセッサとを備え、
前記プロセッサは、
基本シーケンスに別個の循環シフト値を適用して複数の測定参照信号シーケンスを生成し、
前記別個の循環シフト値はそれぞれ複数のアンテナポートに対応し、
サブフレームの最後のシンボルで、前記複数の測定参照信号シーケンスを前記複数のアンテナポートを介して基地局に送信するように構成され、
前記別個の循環シフト値はそれぞれ、前記基地局から受信した上位階層パラメータに基づいて決定される、端末。
【請求項１０】
前記別個の循環シフト値はそれぞれ、{０,１,２,３,４,５,６,７}のうち一つの値を有する前記上位階層パラメータに基づく、請求項９に記載の端末。
【請求項１１】
前記別個の循環シフト値はそれぞれ等間隔である、請求項９に記載の端末。
【請求項１２】
前記プロセッサは、前記複数の測定参照信号シーケンスを周波数領域の副搬送波にマッピングするように更に構成される、請求項９に記載の端末。
【請求項１３】
前記周波数領域における前記複数の測定参照信号シーケンスそれぞれの開始位置は互いに異なる、請求項１２に記載の端末。
【請求項１４】
前記複数の測定参照信号シーケンスを前記周波数領域の副搬送波にマッピングすることに関する情報は、上位階層によって与えられる、請求項１２に記載の端末。
【発明の詳細な説明】
【技術分野】
【０００１】
本発明は、無線通信に関し、より詳しくは、無線通信システムにおける測定参照信号の送信方法に関する。
【背景技術】
【０００２】
次世代無線通信システムは、制限された無線リソースを用いて高品質のマルチメディアデータが高速に送信可能でなければならない。帯域幅が制限された無線チャネルでこれを可能にするためには、周波数効率を極大化すると共に、高速送信時に発生するシンボル間干渉及び周波数選択的フェージングを克服しなければならない。
【０００３】
一般に、無線通信システムは、可用な無線リソースを共有し、多重ユーザとの通信をサポートすることができる多元接続システムである。無線リソースの例には、時間、周波数、符号／シーケンス、及び送信電力などがある。多元接続システムの例には、時分割多元接続（ＴＤＭＡ）システム、符号分割多元接続（ＣＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、及び多搬送波周波数分割多元接続（ＭＣ−ＦＤＭＡ）システムなどがある。ＴＤＭＡシステムでは時間、ＦＤＭＡシステムでは周波数、ＣＤＭＡシステムでは符号、ＯＦＤＭＡシステムでは副搬送波及び時間が無線リソースである。
【０００４】
ＳＣ−ＦＤＭＡは、ＯＦＤＭＡとほぼ同じ複雑度を有する一方、単一搬送波特性のためピーク対平均電力比（ＰＡＰＲ）が低い。ＰＡＰＲが低いことは送信電力効率の面で端末に有利であるため、ＳＣ−ＦＤＭＡは、第３世代パートナシッププログラム（３ＧＰＰ）ＴＳ ３６.２１１ Ｖ８.２.０(２００８−０３)“Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ ｃｈａｎｎｅｌｓ ａｎｄ ｍｏｄｕｌａｔｉｏｎ(Ｒｅｌｅａｓｅ８)”の５節に開示されているように、３ＧＰＰ長期進化システム（ＬＴＥ）においてアップリンク送信に採択されている。
【０００５】
無線通信システムの性能を向上させるために、基地局と端末との間のチャネル状態を用いる閉ループ送信方式が導入されている。適応変調符号化（ＡＭＣ）方式は、帰還されるチャネル状態情報を用いて基地局で変調符号化方式（ＭＣＳ）を調整してリンク性能を増加させる技術である。
【０００６】
端末がチャネル品質指示子（ＣＱＩ）等のようによく知られた制御信号を基地局に通知することによって、基地局はダウンリンクチャネル状態を知ることができる。基地局は各端末からダウンリンクチャネル状態を受信して周波数選択的スケジューリングを実行することができる。しかしながら、アップリンクにおいても周波数選択的スケジューリングを実行するためには、基地局がアップリンクチャネル状態を知る必要がある。
【０００７】
アップリンクチャネル状態は、参照信号を用いて測定する。参照信号は、基地局及び端末双方に知られた信号であり、パイロットとも呼ばれる。参照信号には、復調参照信号及び測定(ｓｏｕｎｄｉｎｇ)参照信号（ＳＲＳ）の二つの種類がある。復調参照信号はデータ復調のためのチャネル推定に使われ、測定参照信号はアップリンクスケジューリングに使われる。端末が基地局に測定参照信号を送信するとき、基地局は受信した測定参照信号を用いてアップリンクチャネルを推定する。推定されたアップリンクチャネルはアップリンクスケジューリングに用いられる。
【０００８】
一方、多重アンテナシステムは複数の送受信アンテナを使用する通信システムである。多重アンテナシステムは、送受信アンテナの数を増加させることによって周波数帯域幅を追加することなしにチャネル容量を線形的に増加させることができる。多重アンテナシステムを用いて通信する場合、既存の単一アンテナを用いて通信する方法をそのまま適用すると、効率が落ちる。したがって、端末が多重アンテナを用いて測定参照信号を送信しようとする場合に用いる方法が必要である。
【発明の概要】
【発明が解決しようとする課題】
【０００９】
本発明が解決しようとする技術的課題は、無線通信システムにおける端末が多重アンテナを介して測定参照信号を送信する方法を提供することである。
【課題を解決するための手段】
【００１０】
一態様において、端末による測定参照信号の送信方法が提供される。上記測定参照信号の送信方法は、第１のアンテナを介して第１の測定参照信号を送信する段階、及び第２のアンテナを介して第２の測定参照信号を送信する段階を含み、上記第１の測定参照信号及び上記第２の測定参照信号の送信されるリソースの一部が異なる。上記第１の測定参照信号及び上記第２の測定参照信号の送信されるリソースは、シーケンスリソース、時間リソース、及び周波数リソースのうち少なくとも一つが異なる。上記第１の測定参照信号及び上記第２の測定参照信号に異なる循環シフトが適用される。上記第１の測定参照信号及び上記第２の測定参照信号に異なる送信コム（ｔｒａｎｓｍｉｓｓｉｏｎ  ｃｏｍｂ）が適用される。上記第１の測定参照信号及び上記第２の測定参照信号の送信のために割り当てられる周波数領域の開始点が異なる。
【００１１】
他の態様において、端末による測定参照信号の送信方法が提供される。上記測定参照信号の送信方法は、第１のアンテナを介して第１の測定参照信号を送信する段階、及び第２のアンテナを介して第２の測定参照信号を送信する段階を含み、上記第１のアンテナ及び上記第２のアンテナは、上記第１の測定参照信号及び上記第２の測定参照信号に適用される特定のパラメータによって識別される。上記特定のパラメータは、測定参照信号に適用される循環シフト値、測定参照信号が送信される時間、及び測定参照信号が送信される周波数のうち少なくとも一つである。
【００１２】
他の態様において、無線通信システムにおける基地局のアップリンクチャネル状態の測定方法が提供される。上記アップリンクチャネル状態の測定方法は、測定参照信号の送信のための特定のパラメータを端末に送信する段階、上記端末の複数のアンテナから上記特定のパラメータに基づいて送信された複数の測定参照信号を受信する段階、及び上記複数の測定参照信号を用いてアップリンクチャネル状態を測定する段階を含み、上記特定のパラメータによって上記複数のアンテナが識別される。上記特定のパラメータは、測定参照信号に適用される循環シフト値、測定参照信号が送信される時間、及び測定参照信号が送信される周波数のうち少なくとも一つである。
【００１３】
他の態様において、無線通信システムにおける端末が提供される。上記端末は、無線信号を送受信する送受信部及び上記送受信部に接続されるプロセッサを含み、上記プロセッサは、第１のアンテナを介して第１の測定参照信号を送信し、第２のアンテナを介して第２の測定参照信号を送信し、上記第１の測定参照信号及び上記第２の測定参照信号の送信されるリソースの一部が異なるように設定される。
【発明の効果】
【００１４】
端末が多重アンテナを介して測定参照信号を送信することができる。これによって、無線リソースを効率的に用いることができる。
【図面の簡単な説明】
【００１５】
【図１】無線通信システムを示す図である。
【図２】一般的な多重アンテナシステムの構成図である。
【図３】３ＧＰＰ ＬＴＥにおける無線フレームの構造を示す図である。
【図４】３ＧＰＰ ＬＴＥにおける一つのアップリンクスロットに対するリソースグリッドを示す例示図である。
【図５】３ＧＰＰ ＬＴＥにおけるアップリンクサブフレームの構造の例を示す図である。
【図６】測定参照信号が送信されるサブフレームの例を示す図である。
【図７】本発明の一実施例によって端末が多重アンテナを介してＳＲＳを送信する方法を示すフローチャートである。
【図８】本発明の他の実施例によって端末が多重アンテナを介してＳＲＳを送信する方法を示すフローチャートである。
【図９】本発明の一実施例によって複数のアンテナを介してＳＲＳを送信する方法を示す図である。
【図１０】本発明の他の実施例によって複数のアンテナを介してＳＲＳを送信する方法を示す図である。
【図１１】本発明の他の実施例によって複数のアンテナを介してＳＲＳを送信する方法を示す図である。
【図１２】本発明の一実施例によってＳＲＳシーケンスを周波数リソースにマッピングする方法を示す図である。
【図１３】本発明の実施例に係る無線通信のための装置を示すブロック図である。
【図１４】基地局及び端末の例を示すブロック図である。
【発明を実施するための形態】
【００１６】
以下の技術は、ＣＤＭＡ、ＦＤＭＡ、ＴＤＭＡ、ＯＦＤＭＡ、及びＳＣ−ＦＤＭＡなどのような多様な無線通信システムに用いることができる。ＣＤＭＡは、はん用地上無線接続（ＵＴＲＡ）又はＣＤＭＡ２０００のような無線技術で具現することができる。ＴＤＭＡは、世界移動体通信システム（ＧＳＭ）／一般パケット無線サービス（ＧＰＲＳ）／ＧＳＭ進化のための強化データ速度（ＥＤＧＥ）のような無線技術で具現することができる。ＯＦＤＭＡは、ＩＥＥＥ８０２.１１（Ｗｉ−Ｆｉ）、ＩＥＥＥ８０２.１６（ＷｉＭＡＸ）、ＩＥＥＥ８０２．２０、進化ＵＴＲＡ（Ｅ−ＵＴＲＡ）などのような無線技術で具現することができる。ＩＥＥＥ８０２.１６ｍは、ＩＥＥＥ８０２.１６ｅの進化形であり、ＩＥＥＥ８０２.１６ｅに基づいたシステムとの後方互換性を提供する。ＵＴＲＡは、はん用移動体通信システム（ＵＭＴＳ）の一部である。３ＧＰＰ  ＬＴＥは、Ｅ−ＵＴＲＡを使用する進化ＵＭＴＳ（Ｅ−ＵＭＴＳ）の一部であり、ダウンリンクでＯＦＤＭＡを採用し、アップリンクでＳＣ−ＦＤＭＡを採用する。高度ＬＴＥ（ＬＴＥ−Ａ）は３ＧＰＰ ＬＴＥの進化形である。
【００１７】
説明を明確にするために、ＬＴＥ／ＬＴＥ−Ａを中心に記述するが、本発明の技術的思想がこれに制限されるものではない。
【００１８】
図１は、無線通信システムを示す。
【００１９】
無線通信システム１０は少なくとも一つの基地局（ＢＳ）１１を含む。各基地局１１は特定の地理的領域（一般にセルという）１５ａ、１５ｂ、１５ｃに対して通信サービスを提供する。また、セルは複数の領域（セクタという）に分けられる。端末（ＵＥ）１２は、固定されていてもよいし、移動するものであってもよく、移動機（ＭＳ）、移動端末（ＭＴ）、利用者端末（ＵＴ）、加入者局（ＳＳ）、無線機器、ＰＤＡ、無線モデム、携帯機器等、他の用語で呼ばれることもある。基地局１１は、一般的に端末１２と通信する固定局を意味し、進化ノードＢ（ｅＮＢ）、基地局システム（ＢＴＳ）、アクセスポイント等、他の用語で呼ばれることもある。
【００２０】
端末は一つのセルに属し、端末が属するセルをサービス提供（ｓｅｒｖｉｎｇ）セルと呼ぶ。サービス提供セルに対して通信サービスを提供する基地局をサービス提供基地局と呼ぶ。無線通信システムは、セルラシステムであるため、サービス提供セルに隣接する他のセルが存在する。サービス提供セルに隣接する他のセルを隣接セルと呼ぶ。隣接セルに対して通信サービスを提供する基地局を隣接基地局と呼ぶ。サービス提供セル及び隣接セルは端末を基準に相対的に決定される。
【００２１】
この技術はダウンリンク又はアップリンクに用いることができる。一般的に、ダウンリンクは基地局１１から端末１２への通信を意味し、アップリンクは端末１２から基地局１１への通信を意味する。ダウンリンクで、送信器は基地局１１の一部分であり、受信器は端末１２の一部分である。アップリンクで、送信器は端末１２の一部分であり、受信器は基地局１１の一部分である。
【００２２】
図２は、一般的な多重アンテナシステムの構成図である。
【００２３】
図２を参照すると、送信アンテナの数はＮT個であり、受信アンテナの数はＮR個である。アンテナ数に比例して理論的なチャネル送信容量が増加する。したがって、データ転送速度を向上させ、且つ周波数効率を画期的に向上させることができる。チャネル送信容量が増加することによって、データ転送速度は、理論的に単一アンテナ利用時の最大データ転送速度（Ｒo）にレート増加率（Ｒi）を乗じた分だけ増加させることができる。レート増加率（Ｒi）は次の通りである。
【００２４】
（式１）
【数１】
0005502105.tif 000002
【００２５】
例えば、４個の送信アンテナ及び４個の受信アンテナを用いるＭＩＭＯ通信システムでは、単一アンテナシステムに比べて理論上４倍のデータ転送速度を得ることができる。
【００２６】
多重アンテナシステムにおける通信方法を数学的モデルを用い、より具体的に説明する。上記システムにはＮT個の送信アンテナとＮR個の受信アンテナが存在すると仮定する。
【００２７】
送信ベクトルをみると、ＮT個の送信アンテナがある場合、送信可能な最大シンボルはＮT個である。送信ベクトルは、次のように表現することができる。
【００２８】
（式２）
【数２】
0005502105.tif 000003
なお、以降の文中において添字ＮＴ（ＮＲ）はＮＴ（ＮＲ）と記す。
【００２９】
各々の送信シンボルＳ１，Ｓ２，…，ＳＮＴは送信電力が異なることがある。ここで、上付き文字Ｔは転置演算子を示す。転置演算によって、行ベクトルは列ベクトルに転換され、列ベクトルは行ベクトルに転換される。各々の送信電力をＰ１，Ｐ２，…，ＰＮＴとすると、送信電力が調整された送信ベクトルは、次のように表現することができる。
【００３０】
（式３）
【数３】
0005502105.tif 000004
【数４】
0005502105.tif 000005
【００３１】
また、ｈａｔ−Ｓは送信電力の対角行列Ｐを用い、次のように表現することができる。
【００３２】
（式４）
【数５】
0005502105.tif 000006
【００３３】
送信電力が調整された送信ベクトルｈａｔ−Ｓに加重値行列Ｗが適用され、実際送信されるＮT個の送信信号ｘ１，ｘ２，…，ＸＮＴが構成される場合を仮定する。加重値行列Ｗは、送信シンボルを伝送チャネル状況などによって各アンテナに適切に分配する役割をする。ｘ１，ｘ２，…，ＸＮＴは送信信号ベクトルＸを用い、次のように表現することができる。
【００３４】
（式５）
【数６】
0005502105.tif 000007
【００３５】
ここで、Ｗｉｊはｉ番目の送信アンテナとｊ番目のシンボルとの間の加重値を意味する。Ｗはプリコーディング行列とも呼ばれる。
【００３６】
受信信号は、ＮR個の受信アンテナがある場合、各アンテナの受信信号ｙ１，ｙ２，…，ＹＮＲはベクトルであり、次のように表現することができる。
【００３７】
（式６）
【数７】
0005502105.tif 000008
【００３８】
図３は、３ＧＰＰ ＬＴＥにおける無線フレームの構造を示す。
【００３９】
図３を参照すると、無線フレームは１０個のサブフレームで構成され、一つのサブフレームは２個のスロットで構成される。無線フレーム内のスロットは０から１９までのスロット番号が付けられる。一つのサブフレームの送信に掛かる時間を送信時間間隔（ＴＴＩ）と呼ぶ。ＴＴＩはデータ送信のためのスケジューリング単位である。例えば、一つの無線フレームの長さは１０ｍｓであり、一つのサブフレームの長さは１ｍｓであり、一つのスロットの長さは０．５ｍｓである。
【００４０】
無線フレームの構造は例示に過ぎず、無線フレームに含まれるサブフレームの数又はサブフレームに含まれるスロットの数等は多様に変更してもよい。
【００４１】
図４は、３ＧＰＰ ＬＴＥにおける一つのアップリンクスロットに対するリソースグリッドを示す例示図である。
【００４２】
図４を参照すると、アップリンクスロットは、時間領域で複数のＳＣ−ＦＤＭＡシンボルを含み、周波数領域でＮULリソースブロック(ＲＢ)を含む。ＳＣ−ＦＤＭＡシンボルは、一つのシンボル期間を表現するためのものであり、システムによってはＯＦＤＭＡシンボル又はシンボル期間と呼ばれることがある。リソースブロックは、リソース割当単位であり、周波数領域で複数の副搬送波を含む。アップリンクスロットに含まれるリソースブロックの数ＮULは、セルで設定されるアップリンク送信帯域幅に依存する。３ＧＰＰ ＬＴＥにおけるＮULは、６０ないし１１０のいずれか一つの値である。
【００４３】
リソースグリッド上の各要素をリソース要素と呼ぶ。リソースグリッド上のリソース要素はスロット内のインデクス対(ｋ,ｌ)によって識別することができる。ここで、ｋ(ｋ＝０,...,ＮUL×１２−１)は周波数領域内の副搬送波インデクスであり、ｌ(ｌ＝０,...,６)は時間領域内のＳＣ−ＦＤＭＡシンボルインデクスである。
【００４４】
ここで、一つのリソースブロックは、時間領域では７ＳＣ−ＦＤＭＡシンボル、周波数領域では１２副搬送波で構成される７×１２リソース要素を含むことを例示的に記述するが、リソースブロック内の副搬送波の数及びＳＣ−ＦＤＭＡシンボルの数はこれに制限されるものではない。リソースブロックが含むＳＣ−ＦＤＭＡシンボルの数又は副搬送波の数は多様に変更してもよい。ＳＣ−ＦＤＭＡシンボルの数は循環プレフィクス（以下、ＣＰという）の長さによって変更されることができる。例えば、正規（ｎｏｒｍａｌ）ＣＰの場合、ＳＣ−ＦＤＭＡシンボルの数は７であり、拡張ＣＰの場合、ＳＣ−ＦＤＭＡシンボルの数は６である。
【００４５】
図４の３ＧＰＰ ＬＴＥにおける一つのアップリンクスロットに対するリソースグリッドはダウンリンクスロットに対するリソースグリッドにも適用することができる。ただし、ダウンリンクスロットは時間領域に複数のＯＦＤＭシンボルを含む。
【００４６】
図５は、３ＧＰＰ ＬＴＥにおけるアップリンクサブフレームの構造の例を示す。
【００４７】
図５を参照すると、アップリンクサブフレームは、アップリンク制御信号を搬送する物理アップリンク制御チャネル（ＰＵＣＣＨ）が割り当てられる制御領域と、ユーザデータを搬送する物理アップリンク共有チャネル（ＰＵＳＣＨ）が割り当てられるデータ領域とに分けられる。ＳＣ−ＦＤＭＡで単一搬送波特性を維持するために、一つの端末に周波数領域に連続的なリソースブロックを割り当てる。
【００４８】
一つの端末に対するＰＵＣＣＨはサブフレームにおいて、リソースブロック対で割り当てられる。リソースブロック対に属するリソースブロックは第１のスロット及び第２のスロット各々で異なる副搬送波を占める。これを、ＰＵＣＣＨに割り当てられるリソースブロック対がスロット境界において周波数ホップするという。ｍはサブフレーム内でＰＵＣＣＨに割り当てられたリソースブロックの周波数領域位置を示す位置インデクスである。
【００４９】
ＰＵＳＣＨは、転送チャネルであるアップリンク共有チャネル（ＵＬ−ＳＣＨ）にマッピングされる。ＰＵＣＣＨ上で送信されるアップリンク制御信号には、ハイブリッド自動再送要求（ＨＡＲＱ）の肯定応答（ＡＣＫ）／否定応答（ＮＡＣＫ）信号、ダウンリンクチャネル状態を示すＣＱＩ、及びアップリンク無線リソース割当要求であるスケジュール要求（ＳＲ）などがある。ＰＵＣＣＨは多重フォーマットをサポートすることができる。すなわち、変調方式別に異なるサブフレーム当たりビット数を有するアップリンク制御信号を送信することができる。例えば、二位相偏移変調（ＢＰＳＫ）を使用する場合、１ビットのアップリンク制御情報をＰＵＣＣＨ上で送信することができ、直交位相偏移変調（ＱＰＳＫ）を使用する場合、２ビットのアップリンク制御情報をＰＵＣＣＨ上で送信することができる。
【００５０】
以下、測定参照信号（ＳＲＳ）の送信方法を説明する。測定参照信号は、アップリンクスケジューリングのために端末が基地局に送信する参照信号である。基地局は、受信された測定参照信号を介してアップリンクチャネルを推定し、推定されたアップリンクチャネルをアップリンクスケジューリングに用いる。
【００５１】
図６は、測定参照信号が送信されるサブフレームの例を示す。
【００５２】
図６を参照すると、測定参照信号はサブフレーム内の１ＳＣ−ＦＤＭＡシンボルを介して送信される。以下、測定参照信号が送信される期間のＳＣ−ＦＤＭＡシンボルを測定シンボルと呼ぶ。ここでは、サブフレームを構成する１４ＳＣ−ＦＤＭＡシンボルのうち最後のＳＣ−ＦＤＭＡシンボルが測定シンボルであるが、これは例示に過ぎず、サブフレーム内の測定シンボルの位置や個数は多様に変更してもよい。
【００５３】
測定参照信号は、制御領域では送信されず、データ領域で送信される。端末は、測定参照信号をデータ領域の全周波数帯域（又は副搬送波）で送信してもよいし、又はデータ領域の一部周波数帯域で送信してもよい。端末が測定参照信号を一部周波数帯域で送信する場合、測定参照信号が送信されるサブフレーム毎に異なる周波数でホップして送信してもよい。また、端末は、測定参照信号を偶数又は奇数インデクスの副搬送波だけを用いて送信してもよい。端末は、周期的又は非周期的に測定参照信号を送信してもよい。
【００５４】
測定参照信号は、基本シーケンスに特定循環シフト値が適用された形態で送信することができる。基本シーケンスとしては、ＰＮシーケンス、ＺＣシーケンス、又はコンピュータを介して生成されるＣＡＺＡＣシーケンスを使用することができる。
【００５５】
測定参照信号シーケンス（以下、ＳＲＳシーケンスという）ｒSRS(ｎ)は、次のように示すことができる。
【００５６】
（式７）
【数８】
0005502105.tif 000009
【００５７】
ここで、ｕはＰＵＣＣＨシーケンスグループ番号であり、ｖは基本シーケンス番号である。測定参照信号の循環シフトであるαは、次のように示すことができる。
【００５８】
（式８）
【数９】
0005502105.tif 000010
【００５９】
ここで、ｎcsSRSは各端末のために上位階層によって設定され、ｎcsSRS＝０,１,２,３,４,５,６,７のうちいずれか一つである。
【００６０】
ＳＲＳシーケンスｒSRS(ｎ)は、振幅スケーリング係数βSRSと乗算されて電力ＰSRSで送信され、ＳＲＳシーケンスはｒSRS(０)から始めてリソース要素(ｋ,ｌ)に次のようにマッピングされる。
【００６１】
（式９）
【数１０】
0005502105.tif 000011
【００６２】
ｋ0はＳＲＳの周波数領域の開始点であり、ＭRSsc,bはＳＲＳシーケンスの長さであり、次のように定義される。
【００６３】
（式１０）
【数１１】
0005502105.tif 000012
【００６４】
ｍSRS,bは、各アップリンク帯域幅ＮULRBに対して次の表１ないし表４のように示すことができる。ＣSRS∈｛０,１,２,３,４,５,６,７｝はセル特定パラメータであるＳＲＳ帯域幅設定であり、ＢSRS∈｛０,１,２,３｝は端末特定パラメータであるＳＲＳ帯域幅である。ＣSRS∈｛０,１,２,３,４,５,６,７｝及びＢSRS∈｛０,１,２,３｝は上位階層によって与えられる。アップリンクパイロットタイムスロット（ＵｐＰＴＳ）において、端末特定パラメータであるＳＲＳ帯域幅ｂ＝０の場合、ｍSRS,bは、次のように再設定することができる。
【００６５】
（式１１）
【数１２】
0005502105.tif 000013
【００６６】
ここで、ｃはＳＲＳ帯域幅設定であり、Ｃは各アップリンク帯域幅ＮULRBに対する表１ないし表４のＳＲＳ帯域幅設定の集合である。ＮRAは、指定された（ａｄｄｒｅｓｓｅｄ）ＵｐＰＴＳ内のフォーマット４の物理ランダムアクセスチャネル（ＰＲＡＣＨ）の数である。ｍmaxSRS,0の再設定は上位階層によって指示される。
【００６７】
周波数領域の開始点ｋ0は次のように定義される。
【００６８】
（式１２）
【数１３】
0005502105.tif 000014
【００６９】
ここで、正常なアップリンクサブフレームに対するｋ０’は次のように定義される。
【００７０】
（式１３）
【数１４】
0005502105.tif 000015
【００７１】
ＵｐＰＴＳに対するｋ０’は次のように定義される。
【００７２】
（式１４）
【数１５】
0005502105.tif 000016
【００７３】
ここで、ｋTC∈｛０,１｝は端末に対して上位階層によって提供されるパラメータである送信コム（ｔｒａｎｓｍｉｓｓｉｏｎ  Ｃｏｍｂ）であり、ｎbは周波数位置インデクスである。
【００７４】
測定参照信号の周波数ホッピングは、上位階層によって提供されるパラメータであるＳＲＳホッピング帯域幅ｂhop∈｛０,１,２,３｝によって設定される。測定参照信号の周波数ホッピングが使われないように設定される場合（例えば、ｂhop≧ＢSRS）、周波数位置インデクスｎbは次のように定義される。
【００７５】
（式１５）
【数１６】
0005502105.tif 000017
【００７６】
ここで、ｎRRCは周波数領域位置を示すパラメータであり、上位階層によって与えられる。測定参照信号の周波数ホッピングが使われるように設定される場合（例えば、ｂhop<ＢSRS）、周波数位置インデクスｎbは次のように定義される。
【００７７】
（式１６）
【数１７】
0005502105.tif 000018
【００７８】
ここで、Ｎbは各アップリンク帯域幅ＮULRBに対して表１ないし表４で与えられ、Ｆb(ｎSRS)は次のように定義される。
【００７９】
（式１７）
【数１８】
0005502105.tif 000019
【００８０】
表１ないし表４のＮb値に関係なしにＮbhop＝１であり、端末特定測定参照信号送信の数をカウントするｎSRSは次のように定義される。
【００８１】
（式１８）
【数１９】
0005502105.tif 000020
【００８２】
ここで、ＴSRSは端末のＳＲＳ送信周期であり、ＴoffsetはＳＲＳサブフレームオフセットであり、Ｔoffset_maxはＳＲＳサブフレームオフセットの特定の設定に対するＴoffsetの最大値である。
【００８３】
特定サブフレームでないすべてのサブフレームにおいて、測定参照信号はサブフレームの最後のシンボルで送信することができる。
【００８４】
表１は６≦ＮULRB≦４０におけるｍSRS,b、Ｎb(ｂ＝０,１,２,３)であり、表２は４０≦ＮULRB≦６０におけるｍSRS,b、Ｎb(ｂ＝０,１,２,３)であり、表３は６０≦ＮULRB≦８０におけるｍSRS,b、Ｎb(ｂ＝０,１,２,３)であり、表４は８０≦ＮULRB≦１１０におけるｍSRS,b、Ｎb(ｂ＝０,１,２,３)である。
【００８５】
【表１】
0005502105.tif 000021
【００８６】
【表２】
0005502105.tif 000022
【００８７】
【表３】
0005502105.tif 000023
【００８８】
【表４】
0005502105.tif 000024
【００８９】
セル特定サブフレーム設定期間ＴSFC及びセル特定サブフレームオフセットΔＳＦＣを、ＦＤＤに関して表５に、ＴＤＤに関して表６に提案する。ＴSFCはセル内のすべての端末が共有することができる。ＳＲＳサブフレームは次の式を満たす。
【００９０】
（式１９）
【数２０】
0005502105.tif 000025
【００９１】
ＴＤＤで、測定参照信号は、設定されたＵＬサブフレーム又はＵｐＰＴＳでのみ送信される。
【００９２】
【表５】
0005502105.tif 000026
【００９３】
【表６】
0005502105.tif 000027
【００９４】
サブフレームｉで送信される測定参照信号に対する端末送信電力ＰSRSは、次のように定義される。
【００９５】
（式２０）
【数２１】
0005502105.tif 000028
【００９６】
ここで、ＰSRS(ｉ)の単位は［ｄＢｍ］である。ＰSRS_OFFSETは、Ｋs＝１.２５のとき［−３，１２］ｄＢの範囲で１ｄＢ単位に上位階層によって半静的に設定される４ビットの端末特定パラメータである。ＰSRS_OFFSETは、Ｋs＝０のとき［−１０．５，１２］ｄＢの範囲で１．５ｄＢ単位に上位階層によって半静的に設定される４ビットの端末特定パラメータである。ＭSRSはリソースブロックの数で表現されるサブフレームｉでＳＲＳ送信の帯域幅である。ｆ(ｉ)はＰＵＳＣＨに対する現在電力制御調整状態である。ＰO_PUSCH(ｊ)はセル特定成分と端末特定成分との和で構成されたパラメータである。詳細な事項は、３ＧＰＰ ＴＳ ３６.２１３ Ｖ８.３.０(２００８−０５)“Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ ｌａｙｅｒ ｐｒｏｃｅｄｕｒｅｓ(Ｒｅｌｅａｓｅ８)”の５.１.１で定義されている。
【００９７】
セル特定ＳＲＳ送信帯域幅は上位階層によって設定される。セル特定ＳＲＳ送信サブフレームは上位階層によって設定される。アンテナ選択方式をサポートする端末に対して、測定参照信号を送信するアンテナのインデクスａ(ｎSRS)は次の通りである。これは部分測定帯域幅及び全体測定帯域幅に関し、周波数ホッピングが使われないように設定された場合（例えば、ｂhop≧ＢSRS）である。
【００９８】
（式２１）
【数２２】
0005502105.tif 000029
【００９９】
周波数ホッピングが使われるように設定された場合（例えば、ｂhop<ＢSRS）、インデクスａ(ｎSRS)は次の通りである。
【０１００】
（式２２）
【数２３】
0005502105.tif 000030
【０１０１】
ここで、βは次の通りである。
【０１０２】
Ｋ ｍｏｄ４＝０のとき、β＝１
それ以外のとき、β＝０
【０１０３】
Ｋは次の通りである。
【０１０４】
【数２４】
0005502105.tif 000031
【０１０５】
ここで、Ｎbの値に関係なしに、Ｎbhop＝１である。端末のために単一ＳＲＳ送信が設定されるときは除く。
【０１０６】
ＦＤＤにおいては、一つのＳＣ−ＦＤＭＡシンボルがＵｐＰＴＳに存在するとき、これをＳＲＳ送信のために使うことができる。二つのＳＣ−ＦＤＭＡシンボルがＵｐＰＴＳに存在するとき、二つのＳＣ−ＦＤＭＡシンボルの両方をＳＲＳ送信のために使うことができ、二つのＳＣ−ＦＤＭＡシンボルの両方を同一端末のために割り当てることができる。
【０１０７】
ＳＲＳ及びＰＵＣＣＨフォーマット２／２ａ／２ｂ送信が同一サブフレームで同時に行われるときは、端末はＳＲＳを送信しない。パラメータＳｉｍｕｌｔａｎｅｏｕｓ−ＡＮ−ａｎｄ−ＳＲＳが真(ＴＲＵＥ)でない場合、ＳＲＳ並びにＡＣＫ／ＮＡＣＫ及び／又は肯定ＳＲの送信が同一サブフレームで同時に行われるときは、端末はＳＲＳを送信しない。ＵｐＰＴＳにおいて、ＳＲＳ送信がプリアンブルフォーマット４のＰＲＡＣＨ領域と重なるときは、端末は現在のセル特定ＳＲＳ帯域幅設定を使用し、表１ないし表４で与えられた最大値にＳＲＳ送信帯域幅を減らすことによって重複を避けることができる。
【０１０８】
上位階層により提供されるパラメータＳｉｍｕｌｔａｎｅｏｕｓ−ＡＮ−ａｎｄ−ＳＲＳは、端末が１サブフレームでＰＵＣＣＨ上におけるＡＣＫ／ＮＡＣＫ及びＳＲＳ送信をサポートするように設定されるか否かを決定する。１サブフレームでＰＵＣＣＨ上におけるＡＣＫ／ＮＡＣＫ及びＳＲＳ送信をサポートするように設定される場合、セル特定ＳＲＳサブフレームで端末は短縮されたＰＵＣＣＨフォーマットを使用してＡＣＫ／ＮＡＣＫ及びＳＲを送信することができ、ＳＲＳ位置に対応するＡＣＫ／ＮＡＣＫ又はＳＲシンボルはパンクチャされる。この短縮されたＰＵＣＣＨフォーマットは、端末が該当サブフレームでＳＲＳを送信することができない場合にもセル特定ＳＲＳサブフレームで用いることができる。あるいは、端末は、ＡＣＫ／ＮＡＣＫ及びＳＲの送信のために正常ＰＵＣＣＨフォーマット１／１ａ／１ｂを使用することができる。
【０１０９】
ＳＲＳ周期（ＴSRS）及びＳＲＳサブフレームオフセット（Ｔoffset）に対する端末特定ＳＲＳ設定は、表７及び表８で定義される。
【０１１０】
【表７】
0005502105.tif 000032
【０１１１】
【表８】
0005502105.tif 000033
【０１１２】
表７はＦＤＤにおける端末特定ＳＲＳ設定であり、表８はＴＤＤにおける端末特定ＳＲＳ設定である。ＳＲＳ送信の周期ＴSRSは集合｛２,５,１０,２０,４０,８０,１６０,３２０｝ｍｓ又はサブフレームから選択される。ＴＤＤにおいては、２ｍｓのＳＲＳ周期ＴSRSに対して、二つのＳＲＳリソースはアップリンクサブフレームを含む半フレームで設定される。
【０１１３】
ＦＤＤ及びＴSRS>２のＴＤＤに対するＳＲＳ送信例は(１０・ｎf＋ｋSRS−Ｔoffset)ｍｏｄ ＴSRS＝０を満たし、ｎfはシステムフレーム番号である。ＦＤＤにおいては、ｋSRS＝｛０,１,...,９｝はフレーム内のサブフレームインデクスであり、ＴＤＤにおいては、ｋSRSは表９によって定義される。
【０１１４】
【表９】
0005502105.tif 000034
【０１１５】
ＴSRS＝２のＴＤＤに対するＳＲＳ送信例は、(ｋSRS−Ｔoffset)ｍｏｄ ５＝０を満たすサブフレームである。
【０１１６】
エラー検出は巡回冗長検査（ＣＲＣ）を介してＤＣＩ送信によって提供される。ＰＤＣＣＨペイロード全体が、ＣＲＣパリティビットを測定するために使われる。ＰＤＣＣＨペイロードのビットをａ0,ａ1,ａ2,ａ3,...,ａA-1とし、パリティビットをｐ0,ｐ1,ｐ2,ｐ3,...,ｐL-1とする。ＡはＰＤＣＣＨペイロードの大きさであり、Ｌはパリティビットの数である。パリティビットに関する詳細な事項は、３ＧＰＰ ＴＳ ３６.２１２“Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｍｕｌｔｉｐｌｅｘｉｎｇ ａｎｄ ｃｈａｎｎｅｌ ｃｏｄｉｎｇ(Ｒｅｌｅａｓｅ８)”の５.１.１を参照されたい。ＣＲＣ付加後のシーケンスはｂ0,ｂ1,ｂ2,ｂ3,...,ｂB-1で表し、Ｂ＝Ａ＋Ｌである。
【０１１７】
端末の送信アンテナ選択が設定されない、又は適用することができない場合、付加後のＣＲＣパリティビットは対応するＲＮＴＩ ｘrnti,0,ｘrnti,1,...,ｘrnti,15によってスクランブルされる。ｘrnti,0はＲＮＴＩのＭＳＢに対応し、ｃ0,ｃ1,c2,ｃ3,...,ｃB-1シーケンスを形成する。ｃkとｂkとの間の関係は次の通りである。
【０１１８】
（式２３）
【数２５】
0005502105.tif 000035
【０１１９】
端末の送信アンテナ選択が設定されて適用可能な場合、付加後のＤＣＩフォーマット０及びＰＤＣＣＨのＣＲＣパリティビットは、次の表に示すようにアンテナ選択マスクｘAS,0,ｘAS,1,...,ｘAS,15及び対応するＲＮＴＩ ｘrnti,0,ｘrnti,1,...,ｘrnti,15によってスクランブルされてｃ0,ｃ1,ｃ2,ｃ3,...,ｃB-1シーケンスを形成する。
【０１２０】
【表１０】
0005502105.tif 000036
【０１２１】
ｃkとｂkとの間の関係は次の通りである。
【０１２２】
（式２４）
【数２６】
0005502105.tif 000037
【０１２３】
端末の送信アンテナ選択は上位階層によって設定される。端末の送信アンテナ選択が不可能であるか、又は端末によってサポートされない場合、端末は端末ポート０から送信する。閉ループ端末送信アンテナの選択が上位階層によって可能である場合、端末はＤＣＩフォーマット０を介して受信した命令に対する応答として送信アンテナ選択を実行する。開ループ端末送信アンテナの選択が上位階層によって可能である場合、端末によって選択される送信アンテナは特定されない。
【０１２４】
一方、基地局は端末に測定参照信号を送信するためのパラメータを通知する。このパラメータには、測定参照信号の送信時期に関する情報、測定参照信号が送信される周波数に関する情報、及び循環シフト値に関する情報などがある。具体的に、測定参照信号の送信時期に関する情報は、ＳＲＳサブフレーム、ＳＲＳサブフレームオフセット、送信期間、及びＳＲＳ設定インデクスなどである。周波数情報は、測定参照信号が送信されるリソースブロックの個数、物理的リソースブロック割当の開始点、副搬送波インデクス、送信コム、ＳＲＳ帯域幅、及び周波数ホッピング帯域幅などである。測定参照信号を送信するためのパラメータを特定するＳｏｕｎｄｉｎｇＲｓＵＩ−Ｃｏｎｆｉｇ ＩＥ（情報要素）、アップリンク電力制御のためのパラメータを特定するＵｐｌｉｎｋＰｏｗｅｒＣｏｎｔｒｏｌＣｏｍｍｏｎ ＩＥ及びＵｐｌｉｎｋＰｏｗｅｒＣｏｎｔｒｏｌＤｅｄｉｃａｔｅｄ ＩＥがある。以下でＳｏｕｎｄｉｎｇＲｓＵＩ−Ｃｏｎｆｉｇ ＩＥを例示する。
【０１２５】
【表１１】
0005502105.tif 000038
【０１２６】
以下、ＵｐｌｉｎｋＰｏｗｅｒＣｏｎｔｒｏｌＣｏｍｍｏｎ ＩＥ及びＵｐｌｉｎｋＰｏｗｅｒＣｏｎｔｒｏｌＤｅｄｉｃａｔｅｄ ＩＥを例示する。
【０１２７】
【表１２】
0005502105.tif 000039
【０１２８】
以下、端末が多重アンテナを介してＳＲＳを送信する方法を説明する。
【０１２９】
図７は、本発明の一実施例によって端末が多重アンテナを介してＳＲＳを送信する方法を示すフローチャートである。端末はＮ(>１)個の送信アンテナを有すると仮定する。
【０１３０】
図７を参照すると、端末は各々の送信アンテナ（アンテナ＃１，アンテナ＃２，…，アンテナ＃Ｎ）に対するＳＲＳシーケンスを互いに区別できるように生成する（Ｓ１００）。各々の送信アンテナに対するＳＲＳシーケンスは、数式７を参照して生成することができる。このとき、一つの端末は、各々の送信アンテナに対し、異なる循環シフト（ＣＳ）値を適用してＳＲＳシーケンスを生成することができる。このために、各端末に対して少なくとも２以上の循環シフト値を割り当てることができる。数式８で循環シフト値（α）はｎcsSRSによって決定され、ｎcsSRS＝０,１,２,３,４,５,６,７のとき、各端末に対するｎcsSRSは連続的に割り当ててもよいし、特定の間隔をおいて割り当ててもよい。例えば、各端末に対してＮ個のｎcsSRSが割り当てられる場合、第１の端末に対して一番目ないしＮ番目のｎcsSRSが連続的に割り当てられ、第２の端末に対して(Ｎ＋１)番目ないし２Ｎ番目のｎcsSRSが連続的に割り当てられる。他の例として、端末１のｎcsSRSは０、１であり、端末２のｎcsSRSは４、５である。また、他の例として、端末１のｎcsSRSは０、４で、端末２のｎcsSRSは２、６である。また、他の例として、各端末に対して複数個のｎcsSRSがランダムに割り当てられることもある。
【０１３１】
端末は各々の送信アンテナを介してＳＲＳを基地局に送信する（Ｓ１１０）。このとき、各々の送信アンテナが送信するＳＲＳシーケンスに異なる循環シフトが適用されるため、各々の送信アンテナは異なるＳＲＳシーケンスを送信することができる。これによって、端末の各々の送信アンテナ（アンテナ＃１，アンテナ＃２，…，アンテナ＃Ｎ）はＳＲＳの異なる循環シフト値を用いて識別することができる。
【０１３２】
図８は、本発明の他の実施例によって端末が多重アンテナを介してＳＲＳを送信する方法を示すフローチャートである。端末はＮ(>１)個の送信アンテナを有すると仮定する。
【０１３３】
図８を参照すると、端末は少なくとも一つの送信アンテナを含む第１のアンテナグループ及び少なくとも一つの送信アンテナを含む第２のアンテナグループの各々に対するＳＲＳシーケンスを生成する（Ｓ２００）。各々のアンテナグループに対するＳＲＳシーケンスは数式７を参照して生成することができる。このとき、一つの端末は、各々のアンテナグループに対して異なる循環シフト（ＣＳ）値を適用してＳＲＳシーケンスを生成することができる。
【０１３４】
端末は、第１のアンテナグループに含まれる少なくとも一つの送信アンテナ及び第２のアンテナグループに含まれる少なくとも一つの送信アンテナを介してＳＲＳを基地局に送信する（Ｓ２１０）。このとき、第１のアンテナグループ及び／又は第２のアンテナグループが複数個の送信アンテナを含む場合、一つのアンテナグループに含まれる複数の送信アンテナは、各々、異なる時間領域又は周波数領域においてＳＲＳシーケンスを送信することができる。例えば、第１のアンテナグループにアンテナ＃１及びアンテナ＃２が含まれ、第２のアンテナグループにアンテナ＃３及びアンテナ＃４が含まれると仮定する。第１のアンテナグループに割り当てられたｎcsSRSは０であり、第２のアンテナグループに割り当てられたｎcsSRSは１の場合、アンテナ＃１及びアンテナ＃２を介して送信されるＳＲＳシーケンスは同一であり、アンテナ＃３及びアンテナ＃４を介して送信されるＳＲＳシーケンスは同一である。この場合、一つのアンテナグループに含まれる複数のアンテナは同一ＳＲＳシーケンスを使用するため、各アンテナは異なる時間リソース及び／又は周波数リソースを使用してＳＲＳを送信することができる。したがって、各アンテナグループは、ＳＲＳに使われるシーケンスリソースによって識別され、アンテナグループ内で各アンテナは、ＳＲＳが送信される時間／周波数リソースを用いて識別することができる。具体的に、アンテナ＃１を介して送信されるＳＲＳシーケンスの送信期間とアンテナ＃２を介して送信されるＳＲＳシーケンスの送信期間とが異なるように設定することができる。アンテナ＃１を介して送信されるＳＲＳシーケンスの周波数領域及びアンテナ＃２を介して送信されるＳＲＳシーケンスの周波数領域が異なるように設定することもできる。ここで、ＳＲＳシーケンスの送信期間は、表７に示すｓｒｓＣｏｎｆｉｇｕｒａｔｉｏｎＩｎｄｅｘ(Ｉsrs)によって識別することができる。ＳＲＳシーケンスの周波数領域は送信コム（ｔｒａｎｓｍｉｓｓｉｏｎＣｏｍｂ）によって識別することができる。参照することによって、送信コムは、ＳＲＳシーケンスが送信される複数の副搬送波を指示する。例えば、送信コムは１ビット情報であり、１ビット情報は奇数インデクスの副搬送波及び偶数インデクスの副搬送波を各々指示することができる。
【０１３５】
これと異なって、各アンテナグループをＳＲＳが送信される時間によって識別し、アンテナグループ内で各アンテナをＳＲＳに使われる周波数リソース及び／又はシーケンスリソースによって識別することも可能である。又は、各アンテナグループをＳＲＳが送信される周波数によって識別し、アンテナグループ内で各アンテナをＳＲＳに使われる時間リソース及び／又は循環シフトで識別することも可能である。すなわち、各々のアンテナを介して送信されるＳＲＳは、シーケンスリソース、時間リソース、及び周波数リソースのうち少なくとも一つが識別されるように設定される。
【０１３６】
図９は、本発明の一実施例によって複数のアンテナを介してＳＲＳを送信する方法を示す。端末はＮ(>１)個の送信アンテナを有すると仮定する。
【０１３７】
図９を参照すると、端末において各アンテナは異なる時間にＳＲＳを送信する。各アンテナを介して送信されるＳＲＳは、同一循環シフト値を適用したＳＲＳシーケンスであってもよく、又は異なる循環シフト値を適用したＳＲＳシーケンスであってもよい。端末は、アンテナ選択ダイバーシチ方式に基づいて、毎瞬間Ｎ個のアンテナのうち一つのアンテナのみを介してＳＲＳを送信する。
【０１３８】
このとき、ＳＲＳ送信のために該当端末に割り当てられた合計電力が１の場合、各アンテナは合計電力１を使用してＳＲＳを送信することができる。これによって、単一アンテナを用いてＳＲＳを送信する端末と同一なＳＲＳカバレッジを維持することができる。
【０１３９】
図１０は、本発明の他の実施例によって複数のアンテナを介してＳＲＳを送信する方法を示す。端末はＮ(>１)個の送信アンテナを有すると仮定する。
【０１４０】
図１０を参照すると、端末は各アンテナグループ別に異なる時間にＳＲＳを送信する。一つのアンテナグループは少なくとも一つのアンテナを含み、アンテナグループ別に異なる時間にＳＲＳを送信する。例えば、アンテナ＃１及びアンテナ＃２は第１のアンテナグループに属し、アンテナ＃(Ｎ−１)及びアンテナ＃Ｎは第Ｍのアンテナグループに属すると仮定する。このとき、第１のアンテナグループに属するアンテナ＃１及びアンテナ＃２は同時にＳＲＳを送信し、第Ｍのアンテナグループに属するアンテナ＃(Ｎ−１)及びアンテナ＃Ｎは同時にＳＲＳを送信する。第１のアンテナグループに属するアンテナと第２のアンテナグループに属するアンテナとは、異なる時間にＳＲＳを送信する。ここで、同一なアンテナグループに属する複数のアンテナを識別する必要がある。このために、各アンテナに異なる循環シフト値を適用したり、異なる周波数領域を適用したりすることができる。すなわち、アンテナ＃１及びアンテナ＃２の送信するＳＲＳシーケンスは異なる循環シフト値を適用したＳＲＳシーケンスであってもよく、また、アンテナ＃(Ｎ−１)及びアンテナ＃Ｎの送信するＳＲＳシーケンスも異なる循環シフトを適用したＳＲＳシーケンスであってもよい。又は、アンテナ＃１及びアンテナ＃２の送信するＳＲＳシーケンスは、異なる送信コムを適用して送信してもよい。また、アンテナ＃(Ｎ−１)及びアンテナ＃Ｎの送信するＳＲＳシーケンスは、異なる送信コムを適用して送信してもよい。
【０１４１】
このとき、ＳＲＳ送信のために該当端末に割り当てられた合計電力が１の場合、各アンテナグループは合計電力１を使用してＳＲＳを送信することができる。しかし、一つのアンテナグループを構成する複数のアンテナに対して、ＳＲＳ送信のための電力を分けることができる。例えば、第１のアンテナグループは合計電力１を全部使用してＳＲＳを送信することができ、第１のアンテナグループを構成するアンテナ＃１及びアンテナ＃２は、それぞれ１／２の電力でＳＲＳを送信することができる。
【０１４２】
ここで、ＳＲＳを同時に送信する複数のアンテナを一つのアンテナグループにグルーピングし、各アンテナグループに含まれる複数のアンテナを各々識別するためにシーケンスリソース又は周波数リソースを区別して使用している。このような方法は多様に拡張してもよい。例えば、同一循環シーケンスを適用した複数のアンテナを一つのアンテナグループにグルーピングし、各アンテナグループに含まれる複数のアンテナを各々識別するために時間リソース又は周波数リソースを区別して使用してもよい。又は、同一周波数リソースを使用する複数のアンテナを一つのアンテナグループにグルーピングし、各アンテナグループに含まれる複数のアンテナを各々識別するためにシーケンスリソース又は時間リソースを区別して使用してもよい。
【０１４３】
図１１は、本発明の他の実施例によって複数のアンテナを介してＳＲＳを送信する方法を示す。端末はＮ(>１)個の送信アンテナを有すると仮定する。
【０１４４】
図１１を参照すると、端末でＮ個のアンテナは同時にＳＲＳを送信する。このとき、各々のアンテナを識別する必要がある。各々のアンテナを識別するために、各々のアンテナに異なる循環シフト値を適用することができる。又は、循環シフト値及び送信コムの組合せを用いて各々のアンテナを識別することもできる。
【０１４５】
このとき、ＳＲＳ送信のために該当端末に割り当てられた合計電力が１の場合、各アンテナは１／Ｎの電力でＳＲＳを送信することができる。又は、各アンテナ別に不均等に電力を割り当て、和が１になるようにＳＲＳを送信することができる。又は、Ｎ個のアンテナをＭ個のアンテナグループにグルーピングし、各アンテナグループ別に不均等に電力を割り当て、和が１になるようにＳＲＳを送信することができる。ここで、各アンテナグループが複数のアンテナを含む場合、各アンテナ別に同一な電力を割り当てたり、不均等に電力を割り当てたりすることができる。このとき、アンテナグループに割り当てられる電力オフセット又はアンテナに割り当てられる電力オフセットを、基地局又は端末が指示することができ、電力オフセット（ＰSRS_OFFSET）は端末特定パラメータである。
【０１４６】
図９、図１０及び図１１のように、端末はＮ個のアンテナを介してＳＲＳを送信し、特定のパラメータを用いて各々のアンテナを識別する。すなわち、各々のアンテナが異なる時間領域にＳＲＳを送信したり、異なる循環シフトでＳＲＳを送信したりすることができる。又は、各々のアンテナを、時間領域、循環シフト、及び周波数領域の組合せによって識別することもできる。
【０１４７】
図１２は、本発明の一実施例によってＳＲＳシーケンスを周波数リソースにマッピングする方法を示す。
【０１４８】
図１２を参照すると、ＳＲＳ送信のための周波数帯域幅上で各アンテナ別にＳＲＳシーケンスの開始点が異なるように設定する。例えば、Ｎ個のアンテナ（アンテナ＃１，アンテナ＃２，…，アンテナ＃Ｎ）が各々ＳＲＳシーケンスを送信し、アンテナ＃１はＰ１点、アンテナ＃２はＰ２点、アンテナ＃ＮはＰＮ点をＳＲＳシーケンスの開始点にマッピングする。このように、各アンテナ別にＳＲＳシーケンスを周波数リソースにマッピングするとき、割り当てられた周波数帯域幅の最後の点までマッピングされると、再び前方部分から順にマッピングされる循環マッピング方式を用いることができる。
【０１４９】
このとき、アンテナ別にＳＲＳシーケンスを周波数リソースにマッピングする方法に対する情報は、上位階層によって与えることができる。例えば、上位階層によってｓｒｓＢａｎｄｗｉｄｔｈ ＢSRS∈｛０,１,２,３｝及びＳＲＳＨｏｐｐｉｎｇＢａｎｄｗｉｄｔｈ ｂhop∈｛０,１,２,３｝を与えてもよい。このとき、多重アンテナを介してＳＲＳを送信する端末が各々のアンテナに対して周波数ホッピングをどのように適用することかが問題になる。各々のアンテナが異なる周波数帯域を用いてＳＲＳを送信した場合、単一搬送波特性を害することがある。しかし、単一搬送波特性と関係のない送信方式を使用して、各々のアンテナに対して別途の周波数帯域を用いてＳＲＳを送信することができる。例えば、ＳＣ−ＦＤＭＡではすべてのアンテナに対して同一周波数ホッピングを適用して特定の期間、同一周波数帯域を用いてＳＲＳを送信するようにするのが好ましい。一方、ＯＦＤＭＡでは各々のアンテナに対して異なる周波数ホッピングを適用し、異なる周波数帯域を用いてＳＲＳを送信するようにすることができる。ＭＩＭＯシステムの特性を考慮し、各々のアンテナに対して異なる周波数ホッピングを適用してもよいし、同一周波数ホッピングを適用してＳＲＳを送信する方法を考慮してもよい。
【０１５０】
端末がアンテナ選択をサポートするとき、周波数ホッピングが使われないように設定された場合（例えば、ｂhop≧ＢSRS）、アンテナのインデクスａ(ｎSRS)は次の通りである。ここで、端末はＮ(>１)個のアンテナを有すると仮定する。
【０１５１】
（式２５）
【数２７】
0005502105.tif 000040
【０１５２】
周波数ホッピングが使われるように設定された場合（例えば、ｂhop<ＢSRS）、アンテナのインデクスａ(ｎSRS)は次の通りである。
【０１５３】
（式２６）
【数２８】
0005502105.tif 000041
【０１５４】
ここで、βは次の通りである。
【０１５５】
Ｋ ｍｏｄ４＝０のとき、β＝１
それ以外のとき、β＝０
【０１５６】
Ｋは次の通りである。
【０１５７】
【数２９】
0005502105.tif 000042
【０１５８】
ここで、Ｎbの値に関係なしに、Ｎbhop＝１である。
【０１５９】
一方、次の表１１及び表１２は、端末が多重アンテナを使用してＳＲＳを送信するとき、各アンテナポート(ｐｏｒｔ)に対するアンテナ選択マスク値を定義する。端末が４個のアンテナポートを有する例を示しているが、これは四つ以上のアンテナポートを有する場合にも拡張して適用することができる。
【０１６０】
【表１３】
0005502105.tif 000043
【０１６１】
【表１４】
0005502105.tif 000044
【０１６２】
前述したように、端末は多重アンテナを介してＳＲＳを送信するために、基地局から受信した特定のＳＲＳパラメータを用いることができる。ＳＲＳパラメータには、測定参照信号の送信時期に対する情報、測定参照信号が送信される周波数に対する情報、及び循環シフト値に対する情報などがある。具体的には、測定参照信号の送信時期に対する情報は、ＳＲＳサブフレーム、ＳＲＳサブフレームオフセット、送信期間、及びＳＲＳ設定インデクス（ｓｒｓＣｏｎｆｉｇｕｒａｔｉｏｎＩｎｄｅｘ）などである。周波数情報は、測定参照信号が送信されるリソースブロックの個数、物理的リソースブロック割当の開始点、副搬送波インデクス、送信コム（ｔｒａｎｓｍｉｓｓｉｏｎＣｏｍｂ）、ＳＲＳ帯域幅、及び周波数ホッピング帯域幅などである。表１３は、多重アンテナを使用してＳＲＳを送信する場合、各々のアンテナを識別するためのパラメータの例を示す。
【０１６３】
【表１５】
0005502105.tif 000045
【０１６４】
以下、多重アンテナを有する端末がアンテナ選択方式を使用してＳＲＳを送信する方法に関して説明する。
【０１６５】
Ｎ(Ｎ>１)個のアンテナを有する端末は、各アンテナ別に異なる送信コムを使用したり、同一送信コムを使用してＳＲＳを送信したりすることができる。Ｎ個のアンテナをＭ(Ｎ>Ｍ)個のアンテナグループに分け、各アンテナグループ別に異なる送信コムを使用したり、同一送信コムを使用してＳＲＳを送信したりすることができる。各アンテナ又は各アンテナグループ別に異なる送信コムを使用する場合、各送信コムを使用するアンテナ個数を一定に維持することができる。これによって、特定副搬送波にＳＲＳ送信が集中することを防ぐことができる。
【０１６６】
Ｎ(Ｎ>１)個のアンテナを有する端末は、各アンテナ別に異なる循環シフトを適用したり、同一循環シフトを適用してＳＲＳを送信したりすることができる。Ｎ個のアンテナをＭ(Ｎ>Ｍ)個のアンテナグループに分け、各アンテナグループ別に異なる循環シフトを適用したり、同一循環シフトを適用してＳＲＳを送信したりすることもできる。各アンテナ又は各アンテナグループ別に異なる循環シフトを適用する場合、各アンテナ又は各アンテナグループ別に循環シフト値を一定間隔で配分することができる。これによって、各アンテナ又は各アンテナグループ間シーケンスの直交性を最大化することができる。
【０１６７】
Ｎ(Ｎ>１)個のアンテナを有する端末は、各アンテナ別に異なるＳＲＳ−設定インデクスを使用したり、同一ＳＲＳ−設定インデクスを使用してＳＲＳを送信したりすることができる。各アンテナ別に異なるＳＲＳ−設定インデクスを使用する場合、アンテナ選択順序を予め決定する必要がある。アンテナ選択順序を決定する一例として、最初に信号が到着したアンテナのサブフレームでＳＲＳを送信することができる。これによって、期間が短いアンテナがより多くのＳＲＳを送信することができる。Ｎ個のアンテナをＭ(Ｎ>Ｍ)個のアンテナグループに分け、各アンテナグループ別に異なるＳＲＳ−設定インデクスを使用してＳＲＳを送信することもできる。これによって、複数の端末が多重アンテナを使用して複数のＳＲＳを送信するときに発生する多重化問題を解決することができる。ただし、各アンテナ又は各アンテナグループ別に異なるＳＲＳ−設定インデクスを使用するとき、アンテナ数が増加すると、ＳＲＳ送信のための時間遅延が長くなり、これによってチャネル品質測定が劣化することがある。この問題を解決するために、ＳＲＳ送信期間を既存より小さく設定してもよい。
【０１６８】
Ｎ(Ｎ>１)個のアンテナを有する端末は、送信コム、循環シフト、ＳＲＳ−設定インデクスの組合せを用いてＳＲＳを送信することもできる。例えば、複数のアンテナに対して同一循環シフト値を適用し、各アンテナ別に異なる送信コムを使用してＳＲＳを送信することができる。他の例として、複数のアンテナに対して同一送信コムを使用し、各アンテナ別に異なる循環シフト値を適用してＳＲＳを送信することができる。これによって、各アンテナ又は各アンテナグループ間シーケンスの直交性を保証し、特定副搬送波でＳＲＳ送信が集中することを防ぐことができる。
【０１６９】
このように、端末がアップリンクにＳＲＳを送信するために、基地局はＳＲＳ送信のための設定情報を端末に通知しなければならない。ＳＲＳ送信のための設定情報(ＳｏｕｎｄｉｎｇＲｓＵＩ−Ｃｏｎｆｉｇ)は、ＳｏｕｎｄｉｎｇＲｓＵＩ−ＣｏｎｆｉｇＣｏｍｍｏｎ及びＳｏｕｎｄｉｎｇＲｓＵＩ−ＣｏｎｆｉｇＤｅｄｉｃａｔｅｄを含む。ＳｏｕｎｄｉｎｇＲｓＵＩ−ＣｏｎｆｉｇＣｏｍｍｏｎは、ｓｒｓＢａｎｄｗｉｄｔｈＣｏｎｆｉｇｕｒａｔｉｏｎ及びｓｒｓＳｕｂｆｒａｍｅＣｏｎｆｉｇｕｒａｔｉｏｎなどを含み、ＳｏｕｎｄｉｎｇＲｓＵＩ−ＣｏｎｆｉｇＤｅｄｉｃａｔｅｄは、ｓｒｓＢａｎｄｗｉｄｔｈ、ｓｒｓＨｏｐｐｉｎｇＢａｎｄｗｉｄｔｈ、ｆｒｅｑｕｅｎｃｙＤｏｍａｉｎＰｏｓｉｔｉｏｎ、ｄｕｒａｔｉｏｎ、ｓｒｓ−ＣｏｎｆｉｇｕｒａｔｉｏｎＩｎｄｅｘ、ｔｒａｎｓｍｉｓｓｉｏｎＣｏｍｂ、及びｃｙｃｌｉｃｓｈｉｆｔなどを含む。
【０１７０】
ただし、多重アンテナを有する端末が各々のアンテナを介してＳＲＳを送信する場合に対比し、ＳＲＳ送信のための設定情報が別途に定義される必要がある。以下、多重アンテナを有する端末に対するＳＲＳ送信のための設定情報を別途に定義するときに考慮しなければならない点を説明する。
【０１７１】
まず、複数個の循環シフト値が一つの端末に割り当てられることができるように通知してもよい。すなわち、ｃｓ０、ｃｓ１、ｃｓ２、ｃｓ３、ｃｓ４、ｃｓ５、ｃｓ６、ｃｓ７の循環シフト値のうち複数個の循環シフト値を一つの端末に割り当てられるようにすることができる。これによって、複数個のアンテナを有する一つの端末は、各々のアンテナ別に異なる循環シフト値を適用してＳＲＳを送信することができる。これによって、端末は、複数個のアンテナを用いて同時にＳＲＳを送信したり、異なる時間に送信したりすることができる。又は、端末は、循環シフト及び時間領域の組合せを用いて各々のアンテナ別にＳＲＳを送信することができる。
【０１７２】
次に、複数個の送信コム値が一つの端末に割り当てられることができるように通知してもよい。すなわち、一つの端末が０、１の送信コム値を全部用いるようにすることができる。これによって、複数個のアンテナを有する一つの端末は、各々のアンテナ別に送信コム及び他のパラメータを結合してＳＲＳを送信することができる。
【０１７３】
次に、複数個のｓｒｓＣｏｎｆｉｇｕｒａｔｉｏｎＩｎｄｅｘ値が一つの端末に割り当てられることができるようにシグナリングしてもよい。これによって、複数個のアンテナを有する一つの端末は、各々のアンテナ別に異なる送信期間及び／又はサブフレームオフセットでＳＲＳを送信することができる。他のパラメータと組み合わせると、アンテナグループ別に同一送信期間を有することもできる。
【０１７４】
次に、ｓｒｓＨｏｐｐｉｎｇＢａｎｄｗｉｄｔｈ、ｓｒｓＢａｎｄｗｉｄｔｈ、及びｆｒｅｑｕｅｎｃｙＤｏｍａｉｎＰｏｓｉｔｉｏｎを変更し、一つの端末が有する複数個のアンテナの各々に対して別途の周波数帯域と周波数上の位置を指定してもよい。これは単一搬送波特性が問題にならないＯＦＤＭＡシステムで特に有用である。パラメータｓｒｓＨｏｐｐｉｎｇＢａｎｄｗｉｄｔｈ、ｓｒｓＢａｎｄｗｉｄｔｈ、及びｆｒｅｑｕｅｎｃｙＤｏｍａｉｎＰｏｓｉｔｉｏｎは、各々を独立に変更してもよいし、全体的に変更してもよい。
【０１７５】
次に、複数個のアンテナを有する端末に対する電力制御パラメータのための通知を追加したり、既存の通知を変更したりすることができる。既存のアップリンク電力制御パラメータには、共用電力制御通知に使われるＵｐｌｉｎｋｐｏｗｅｒＣｏｎｔｒｏｌＣｏｍｍｏｎと、専用電力制御通知に使われるＵｐｌｉｎｋＰｏｗｅｒＣｏｎｔｒｏｌＤｅｄｉｃａｔｅｄとがある。既存の通知を変更する例として、既存の通知値をアンテナポート０に用い、新たに定義されたパラメータに対する通知を新たに追加されたアンテナポートに用いることができる。
【０１７６】
複数個のアンテナの各々に対してＳＲＳ送信電力を別途に設定する通知をすることもできる。このとき、各アンテナ別に電力オフセットを設定すると、ＳＲＳ送信電力を設定するための通知ビットを減らすことができる。また、少なくとも２以上のアンテナを含むアンテナグループが同時にＳＲＳを送信する場合、上記アンテナグループに対するＳＲＳ送信電力を設定する通知をすることもできる。この場合、アンテナグループに属する各アンテナに対するＳＲＳ送信電力は、予め決められた割合で配分したり、アンテナ毎に別途にＳＲＳ送信電力を通知したりすることもできる。また、アンテナグループと関係なしに２以上のアンテナが同時にＳＲＳを送信するように設定する場合も考慮することができる。このとき、ＳＲＳを同時に送信する２以上のアンテナを指示する通知を定義し、上記２以上のアンテナに送信電力を配分するように通知することもできる。
【０１７７】
図１３は、本発明の実施例に係る無線通信のための装置を示すブロック図である。この装置は端末の一部である。
【０１７８】
図１３を参照すると、無線通信のための装置１００は、ＳＲＳ生成器１１０、プロセッサ１２０、及び送受信器１３０を含む。ＳＲＳ生成器１１０はＳＲＳを生成することができ、このために周波数領域シンボルを各副搬送波にマッピングさせる副搬送波マッパ及び入力されるシンボルに対して逆高速フーリエ変換（ＩＦＦＴ）を実行して時間領域信号を出力するＩＦＦＴ部を含むことができる。プロセッサ１２０はＳＲＳ生成器１１０と接続され、第１のアンテナを介して第１の測定参照信号を送信し、第２のアンテナを介して第２の測定参照信号を送信し、上記第１の測定参照信号及び上記第２の測定参照信号の送信されるリソースの一部が異なるように設定される。送受信器１３０はプロセッサ１２０と接続され、無線信号を送受信する。
【０１７９】
図１４は、基地局及び端末の例を示すブロック図である。端末２００は、無線周波（ＲＦ）部２１０、プロセッサ２２０及びメモリ２３０を含む。端末２００のプロセッサ２２０は、第１のアンテナを介して第１の測定参照信号を送信し、第２のアンテナを介して第２の測定参照信号を送信し、上記第１の測定参照信号及び上記第２の測定参照信号の送信されるリソースの一部が異なるように設定される。前述した内容をプロセッサ２２０によって具現することができる。端末２００のメモリ２３０はプロセッサ２２０に接続され、ＳＲＳシーケンスを記憶する。端末２００のＲＦ部２１０はプロセッサ２２０と接続され、無線信号を送信及び／又は受信する。
【０１８０】
基地局３００は、ＲＦ部３１０、プロセッサ３２０、及びメモリ３３０を含む。基地局３００のプロセッサ３２０は、測定参照信号の送信のための特定のパラメータを端末に送信し、端末の複数のアンテナから特定のパラメータに基づいて送信された複数の測定参照信号を受信し、複数の測定参照信号を用いてアップリンクチャネル状態を測定し、特定のパラメータによって複数のアンテナが識別されるように設定される。前述した内容がプロセッサ３２０で具現されることができる。基地局３００のメモリ３３０はプロセッサ３２０に接続され、端末にシグナリングするためのパラメータを記憶する。基地局３００のＲＦ部３１０はプロセッサ３２０と接続され、無線信号を送信及び／又は受信する。
【０１８１】
前述したすべての機能は、上記機能を遂行するようにコーディングされたソフトウェアやプログラムコードなどによるマイクロプロセッサ、制御器、マイクロ制御器、特定用途集積回路（ＡＳＩＣ）などのようなプロセッサによって実行することができる。上記コードの設計、開発及び具現は、本発明の説明に基づいて当業者に自明である。
【０１８２】
以上、本発明に対して実施例を参照して説明したが、該当技術分野の通常の知識を有する者は、本発明の技術的思想及び領域から外れない範囲内で本発明を多様に修正及び変更させて実施できることを理解することができる。したがって、本発明は、前述した実施例に限定されるものではなく、特許請求の範囲内のすべての実施例を含む。
【図１】
0005502105.tif 000046
【図２】
0005502105.tif 000047
【図３】
0005502105.tif 000048
【図４】
0005502105.tif 000049
【図５】
0005502105.tif 000050
【図６】
0005502105.tif 000051
【図７】
0005502105.tif 000052
【図８】
0005502105.tif 000053
【図９】
0005502105.tif 000054
【図１０】
0005502105.tif 000055
【図１１】
0005502105.tif 000056
【図１２】
0005502105.tif 000057
【図１３】
0005502105.tif 000058
【図１４】
0005502105.tif 000059